(57)【要約】【課題】  車椅子に載った身体障害者や背の低い子供などでも戸棚の中のものの取出しや収納を容易とするとともに収納スペースを最大限に確保する簡潔構造の昇降引出し式戸棚を提供すること。【解決手段】  本発明の昇降引出し式戸棚は、下側が開口した戸棚ケース１０と、戸棚ケース１０の内側両側面にそれぞれ取付けられ、上下方向にスライド可能の一対のスライド板２０ａ、２０ｂと、スライド板２０ａ、２０ｂの内側に収納され、前方斜め下方にスライド可能の引出し棚３０と、モータ駆動によりベルトまたはワイヤを巻取り巻戻しスライド板２０ａ、２０ｂを昇降するとともに、スライド板２０ａ、２０ｂが下降したとき、ベルトまたはワイヤの巻戻しにより引出し棚３０を前方斜め下方にスライド移動する駆動機構とを備えることとした。【選択図】  図１
2005261885.tif 000002
【特許請求の範囲】
【請求項１】
下側が開口した戸棚ケースと、前記戸棚ケースの内側両側面にそれぞれ取付けられ、上下方向にスライド可能の一対のスライド板と、前記スライド板の内側に収納され、前方斜め下方にスライド可能の引出し棚と、モータ駆動によりベルトまたはワイヤを巻取り巻戻し前記スライド板を昇降するとともに、前記スライド板が下降したとき、前記ベルトまたはワイヤの巻戻しにより前記引出し棚を前記前方斜め下方にスライド移動する駆動機構とを備えたことを特徴とする昇降引出し式戸棚。
【請求項２】
前記スライド板は、取り付けられる前記戸棚ケースの前面側と後面側にスライダが取り付けられることを特徴とする請求項１に記載の昇降引出し式戸棚。
【請求項３】
前記駆動機構は、前記戸棚ケースの内側の上部前面側に取付けられた巻取りローラと、前記スライド板の内側上部に取り付けられた第１のガイドローラと、前記戸棚ケースの内側の上部後面側に取付けられた第２のガイドローラと、前記スライド板の内側の下部後面側に取り付けられた第３のガイドローラと、前記引出し棚の側面の中央より前面側に取り付けられた第４のガイドローラとに前記ベルトまたはワイヤが掛けられ、第４のガイドローラで折返されて前記ベルトまたはワイヤの端部が前記引出し棚の側面に固定され、前記巻取りローラによる前記ベルトまたはワイヤの巻取り巻戻しにより、前記スライド板を昇降するとともに、前記スライド板が下降したとき、前記ベルトまたはワイヤの巻戻しにより前記引出し棚を前記前方斜め下方にスライド移動することを特徴とする請求項１に記載の昇降引出し式戸棚。
【請求項４】
前記駆動機構は、前記戸棚ケースの内側の上部両前面側にそれぞれ取り付けられた互いに軸が平行の一対のガイドローラに掛けられた一方の側の前記ベルトまたはワイヤが、一方の側の前記スライド板の内側上部に取り付けられた第１のガイドローラと、前記戸棚ケースの内側の一方の側の上部後面側に取付けられた第２のガイドローラと、前記一方の側のスライド板の内側の下部後面側に取り付けられた第３のガイドローラと、前記引出し棚の一方の側の側面の中央より前面側に取り付けられた第４のガイドローラとに掛けられ、第４のガイドローラで折返されて前記一方の側のベルトまたはワイヤの端部が前記引出し棚の一方の側の側面に固定され、前記一対のガイドローラに掛けられた他方の側の前記ベルトまたはワイヤが、前記一方の側のベルトまたはワイヤと同様に掛けられ、前記ベルトの巻取り巻戻しにより、前記スライド板を昇降するとともに、前記スライド板が下降したとき、前記ベルトまたはワイヤの巻戻しにより前記引出し棚を前記前方斜め下方にスライド移動することを特徴とする請求項１に記載の昇降引出し式戸棚。
【請求項５】
下側が開口した戸棚ケースと、前記戸棚ケースの内側両側面にそれぞれ取付けられ、上下方向にスライド可能の一対のスライド板と、前記スライド板の内側に収納され、前方斜め下方にスライド可能の引出し棚と、第１のモータ駆動により第１のベルトまたはワイヤを巻取り巻戻し前記スライド板を昇降する第１の駆動機構と、前記スライド板が下降したとき、第２のベルトまたはワイヤの巻戻しにより前記引出し棚を前記前方斜め下方にスライド移動する第２の駆動機構とを備えたことを特徴とする昇降引出し式戸棚。
【発明の詳細な説明】
【技術分野】
【０００１】  本発明は、昇降引出し式戸棚に関し、特に、取出しや収納を容易とするとともに収納スペースを最大限に確保する簡潔構造の昇降引出し式戸棚に関する。
【背景技術】
【０００２】  従来の戸棚には、戸棚ケースを台所の壁面上部などに設置設し、モータ駆動によりワイヤを巻取り巻戻しすることにより、戸棚ケースに収納した戸棚を戸棚ケースの下側まで昇降可能にした昇降式戸棚がある（例えば、特許文献１参照）。【０００３】
【特許文献１】      特開２００１−１１４４９７
【発明の開示】
【発明が解決しようとする課題】
【０００４】  しかしながら、従来の昇降式戸棚は、戸棚ケースに収納した戸棚を下降したとき、大人にとっては戸棚の中のものの取出しや収納が容易にできる位置となるが、下方には流し台などがあるためさらに下方に下降する構造にすることはできず、車椅子に載った身体障害者や背の低い子供などは、戸棚の中のものの取出しや収納がし難いという問題があった。
そのため、戸棚ケースに収納した戸棚を下降するとともに下降した戸棚をさらに電動モータの機構により前方に引出すことも考えられるが、構造が複雑になるとともに、このような電動機構により下降して引出す戸棚の大きさが制限され収納スペースが充分確保できない。
本発明は、上記に鑑みてなされたものであって、車椅子に載った身体障害者や背の低い子供などでも戸棚の中のものの取出しや収納を容易とするとともに収納スペースを最大限に確保する簡潔構造の昇降引出し式戸棚を提供することを目的とする。
【課題を解決するための手段】
【０００５】  本発明の昇降引出し式戸棚は、下側が開口した戸棚ケースと、前記戸棚ケースの内側両側面にそれぞれ取付けられ、上下方向にスライド可能の一対のスライド板と、前記スライド板の内側に収納され、前方斜め下方にスライド可能の引出し棚と、モータ駆動によりベルトまたはワイヤを巻取り巻戻し前記スライド板を昇降するとともに、前記スライド板が下降したとき、前記ベルトまたはワイヤの巻戻しにより前記引出し棚を前記前方斜め下方にスライド移動する駆動機構とを備えることとした。
また、前記スライド板は、取り付けられる前記戸棚ケースの前面側と後面側にスライダが取り付けられることとした。
また、前記駆動機構は、前記戸棚ケースの内側の上部前面側に取付けられた巻取りローラと、前記スライド板の内側上部に取り付けられた第１のガイドローラと、前記戸棚ケースの内側の上部後面側に取付けられた第２のガイドローラと、前記スライド板の内側の下部後面側に取り付けられた第３のガイドローラと、前記引出し棚の側面の中央より前面側に取り付けられた第４のガイドローラとに前記ベルトまたはワイヤが掛けられ、第４のガイドローラで折返されて前記ベルトまたはワイヤの端部が前記引出し棚の側面に固定され、前記巻取りローラによる前記ベルトまたはワイヤの巻取り巻戻しにより、前記スライド板を昇降するとともに、前記スライド板が下降したとき、前記ベルトまたはワイヤの巻戻しにより前記引出し棚を前記前方斜め下方にスライド移動することとした。
また、前記駆動機構は、前記戸棚ケースの内側の上部両前面側にそれぞれ取り付けられた互いに軸が平行の一対のガイドローラに掛けられた一方の側の前記ベルトまたはワイヤが、一方の側の前記スライド板の内側上部に取り付けられた第１のガイドローラと、前記戸棚ケースの内側の一方の側の上部後面側に取付けられた第２のガイドローラと、前記一方の側のスライド板の内側の下部後面側に取り付けられた第３のガイドローラと、前記引出し棚の一方の側の側面の中央より前面側に取り付けられた第４のガイドローラとに掛けられ、第４のガイドローラで折返されて前記一方の側のベルトまたはワイヤの端部が前記引出し棚の一方の側の側面に固定され、前記一対のガイドローラに掛けられた他方の側の前記ベルトまたはワイヤが、前記一方の側のベルトまたはワイヤと同様に掛けられ、前記ベルトの巻取り巻戻しにより、前記スライド板を昇降するとともに、前記スライド板が下降したとき、前記ベルトまたはワイヤの巻戻しにより前記引出し棚を前記前方斜め下方にスライド移動することとした。
さらに、本発明の昇降引出し式戸棚は、下側が開口した戸棚ケースと、前記戸棚ケースの内側両側面にそれぞれ取付けられ、上下方向にスライド可能の一対のスライド板と、前記スライド板の内側に収納され、前方斜め下方にスライド可能の引出し棚と、第１のモータ駆動により第１のベルトまたはワイヤを巻取り巻戻し前記スライド板を昇降する第１の駆動機構と、前記スライド板が下降したとき、第２のベルトまたはワイヤの巻戻しにより前記引出し棚を前記前方斜め下方にスライド移動する第２の駆動機構とを備えることとした。
【発明の効果】
【０００６】    本発明の昇降引出し式戸棚は、下側が開口した戸棚ケースと、前記戸棚ケースの内側両側面にそれぞれ取付けられ、上下方向にスライド可能の一対のスライド板と、前記スライド板の内側に収納され、前方斜め下方にスライド可能の引出し棚と、モータ駆動によりベルトまたはワイヤを巻取り巻戻し前記スライド板を昇降するとともに、前記スライド板が下降したとき、前記ベルトまたはワイヤの巻戻しにより前記引出し棚を前記前方斜め下方にスライド移動する駆動機構とを備えることとしたため、車椅子に載った身体障害者や背の低い子供などでも簡潔構造で戸棚の中のものの取出しや収納を簡潔構造で容易とすることができ、さらに収納スペースを最大限に確保することができる。
また、前記スライド板は、取り付けられる前記戸棚ケースの前面側と後面側にスライダが取り付けられることとしたため、横方向のスペースを有効に使用することができる。
また、前記駆動機構は、前記戸棚ケースの内側の上部前面側に取付けられた巻取りローラと、前記スライド板の内側上部に取り付けられた第１のガイドローラと、前記戸棚ケースの内側の上部後面側に取付けられた第２のガイドローラと、前記スライド板の内側の下部後面側に取り付けられた第３のガイドローラと、前記引出し棚の側面の中央より前面側に取り付けられた第４のガイドローラとに前記ベルトまたはワイヤが掛けられ、第４のガイドローラで折返されて前記ベルトまたはワイヤの端部が前記引出し棚の側面に固定され、前記巻取りローラによる前記ベルトまたはワイヤの巻取り巻戻しにより、前記スライド板を昇降するとともに、前記スライド板が下降したとき、前記ベルトまたはワイヤの巻戻しにより前記引出し棚を前記前方斜め下方にスライド移動することとしたため、戸棚ケースの昇降と、前方斜め下方のスライド移動を簡潔構造で円滑に行うことができる。
また、前記駆動機構は、前記戸棚ケースの内側の上部両前面側にそれぞれ取り付けられた互いに軸が平行の一対のガイドローラに掛けられた一方の側の前記ベルトまたはワイヤが、一方の側の前記スライド板の内側上部に取り付けられた第１のガイドローラと、前記戸棚ケースの内側の一方の側の上部後面側に取付けられた第２のガイドローラと、前記一方の側のスライド板の内側の下部後面側に取り付けられた第３のガイドローラと、前記引出し棚の一方の側の側面の中央より前面側に取り付けられた第４のガイドローラとに掛けられ、第４のガイドローラで折返されて前記一方の側のベルトまたはワイヤの端部が前記引出し棚の一方の側の側面に固定され、前記一対のガイドローラに掛けられた他方の側の前記ベルトまたはワイヤが、前記一方の側のベルトまたはワイヤと同様に掛けられ、前記ベルトの巻取り巻戻しにより、前記スライド板を昇降するとともに、前記スライド板が下降したとき、前記ベルトまたはワイヤの巻戻しにより前記引出し棚を前記前方斜め下方にスライド移動することとしたため、戸棚ケースの昇降と、前方斜め下方のスライド移動を簡潔構造で円滑に行うことができる。
さらに、本発明の昇降引出し式戸棚は、下側が開口した戸棚ケースと、前記戸棚ケースの内側両側面にそれぞれ取付けられ、上下方向にスライド可能の一対のスライド板と、前記スライド板の内側に収納され、前方斜め下方にスライド可能の引出し棚と、第１のモータ駆動により第１のベルトまたはワイヤを巻取り巻戻し前記スライド板を昇降する第１の駆動機構と、前記スライド板が下降したとき、第２のベルトまたはワイヤの巻戻しにより前記引出し棚を前記前方斜め下方にスライド移動する第２の駆動機構とを備えることとしたため、車椅子に載った身体障害者や背の低い子供などでも簡潔構造で戸棚の中のものの取出しや収納を簡潔構造で容易とすることができ、さらに収納スペースを最大限に確保することができる。
【発明を実施するための最良の形態】
【０００７】  以下、本発明の実施の形態の昇降引出し式戸棚につき図を用いて説明する。
【実施例１】
【０００８】  図１は、本発明の第１の実施の形態の昇降引出し式戸棚の斜視図を示し、図１（ａ）は、本発明の第１の実施の形態の昇降引出し式戸棚が壁面に取付けられたときの斜視図を示し、図１（ｂ）は、本発明の第１の実施の形態の昇降引出し式戸棚のスライド板が下降したときの斜視図を示し、図１（ｃ）は、本発明の第１の実施の形態の昇降引出し式戸棚の引出し棚が外側に引出されたときの斜視図を示す。
図１に示すように、本発明の第１の実施の形態の昇降引出し式戸棚は、下方に流し台などが設置された壁面の上方に取付けられ下側が開口した戸棚ケース１０と、戸棚ケース１０の内側側面に取付けられ、上下方向にスライド可能の一対のスライド板２０ａ、２０ｂと、スライド板２０ａ、２０ｂの内側に収納され、前方斜め下方にスライド可能の引出し棚３０と、モータ駆動によりベルト４１を巻取り巻戻しスライド板２０ａ、２０ｂを昇降するとともに、スライド板２０ａ、２０ｂが下降したとき、ベルト４１の巻戻しにより引出し棚３０を前記前方斜め下方にスライド移動する駆動機構５０とで構成されている。【０００９】  図１（ａ）に示すように、戸棚ケース１０は、通常は閉じているが、引出し棚３０が前方斜め下方にスライド移動したとき開く開閉扉１１が設けられている。
図１（ｂ）に示すように、戸棚ケース１０の内側に収納されたスライド板２０ａ、２０ｂは、垂直方向に取り付けられたスライダ２１によりガイドされ、戸棚ケース１０の下端まで下降することができる。スライド板２０ａ、２０ｂには、取り付けられる戸棚ケース１０の前面側Ｆと後面側Ｒの内側と、スライド板２０ａ、２０ｂの前面側Ｆと後面側Ｒの側面との間にスライダ２１が取り付けられ、スライダ２１は、戸棚ケース１０の内側に取り付けられるガイドレール２１ａと、ガイドレール２１ａに内装されスライド板２０ａ、２０ｂの側面に取り付けられるスライドレール２１ｂとで構成されている。
図１（ｃ）に示すように、引出し棚３０の側面側Ｓの外側と、スライド板２０ａ、２０ｂの側面側Ｓの内側との間には、前方斜め下方に向けスライダ３１が取り付けられており、駆動機構５０によりスライド板２０ａ、２０ｂが矢印Ｄに示すように戸棚ケース１０の下端まで下降したとき、引出し棚３０は矢印Ｚに示すようにスライダ３１に沿って引出される。スライダ３１は、スライド板２０ａ、２０ｂの内側に取り付けられるガイドレール３１ａと、ガイドレール３１ａに内装され引出し棚３０の外側に取り付けられるスライドレール３１ｂとで構成されている。【００１０】  図２は、本発明の第１の実施の形態の昇降引出し式戸棚に取り付けられるスライダの断面図を示し、図２（ａ）は、戸棚ケースの内側とスライド板の側面との間に取り付けられるスライダを示し、図２（ｂ）は、スライド板の内側と引出し棚の外側との間に取り付けられるスライダを示す。【００１１】  図２（ａ）に示すように、スライダ２１は、ガイドレール２１ａが戸棚ケース１０の後面側の内側に取り付けられ、ガイドレール２１ａにボール２１ｃを介し内装されるスライドレール２１ｂが、スライド板２０ａの後面側に取り付けられている。スライダ２１は、スライド板２０ａの前面側、図１に示すスライド板２０ｂの前後面側にも取り付けられ、スライド板２０ａ、２０ｂは、戸棚ケース１０の側面内側に沿って上下方向にスライドすることができる。
図２（ｂ）に示すように、スライダ３１は、ガイドレール３１ａがスライド板２０ａの内側に取り付けられ、ガイドレール３１ａにボール３１ｃを介し内装されるスライドレール３１ｂが、引出し棚３０の外側に取り付けられている。スライダ３１は、スライド板２０ｂの内側と引出し棚３０の外側との間にも取り付けられ、引出し棚３０は、スライド板２０ａ、２０ｂの内側に沿って前方斜め下方にスライドすることができる。
図３は、本発明の第１の実施の形態の昇降引出し式戸棚に設けられる駆動機構の斜視図を示す。
図３に示すように、駆動機構５０は、戸棚ケース１０の内側上部の前面側Ｆの中央に駆動モータ５１が取付けられ、駆動モータ５１は、ＤＣモータ５１ａと、ＤＣモータ５１ａの回転数を減速しトルクを増大する減速器５１ｂとにより構成され、減速器５１ｂに回転軸５８が連結している。一方の回転軸５８ａには巻取りローラ５２が取り付けられ、第１のガイドローラ５３がスライド板２０ａの内側上部中央に取り付けられ、第２のガイドローラ５４が戸棚ケース１０の内側上部の後面側Ｒに取付けられ、第３のガイドローラ５５がスライド板２０ａの内側の下部後面側に取り付けられ、第４のガイドローラ５６が引出し棚３０の側面の中央より前面側Ｆに取り付けられている。【００１２】  ベルト４１は、巻取りローラ５２に一方の端部が固定され、第１、第２、第３、第４のガイドローラに掛けられ、第４のガイドローラで折返されて他方の端部が引出し棚３０の側面でピン５７に固定されている。他方の回転軸５８ｂも同様にベルトが、巻取りローラと、ガイドローラとに掛けられている。
駆動モータ５１は、上昇スイッチ５９ａと下降スイッチ５９ｂとを有する壁面などに設けられる操作スイッチ５９に接続し、上昇スイッチ５９ａが操作されると正転作動し、巻取りローラ５２がベルト４１を巻き付け、下降スイッチ２９ｂが操作されると逆転作動し、巻取りローラ５２を逆転回動させ巻取りローラ５２に巻かれているベルト４１は巻きが解かれる。
操作スイッチ５９が操作され、駆動モータ５１が駆動して回転軸５８が回動すると、巻取りローラ５２によりベルト４１の巻取り巻戻が行われ、スライド板２０ａ、２０ｂを昇降するとともに、スライド板２０ａ、２０ｂが下降したとき、ベルト４１の巻戻しにより引出し棚３０を前方斜め下方にスライド移動することができる。【００１３】  図４は、本発明の第１の実施の形態の昇降引出し式戸棚の駆動機構の動作図を示し、図４（ａ）は、スライド板が上昇し戸棚ケースに引出し棚が収納されたときを示し、図４（ｂ）は、スライド板が下降したときを示し、図４（ｃ）は、引出し棚が外側に引出されたときを示す。
図４（ａ）に示すように、操作スイッチ５９の上昇スイッチ５９ａが操作されたときには、戸棚ケース１０の内側上部の前面側Ｆの中央に取り付けられた駆動モータ５１が作動して巻取りローラ５２が矢印Ｕに示すように回動し、巻取りローラ５２に一方の端部が固定され第１のガイドローラ５３、第２のガイドローラ５４、第３のガイドローラ５５、第４のガイドローラ５６とに掛けられ、ピン５７で他方の端部が固定されたベルト４１が巻き上げられてスライド板２０ａ、２０ｂが上昇し、引出し棚３０は、戸棚ケース１０に収納されている。
図４（ｂ）に示すように、操作スイッチ５９の下降スイッチ５９ｂが操作されたときには、駆動モータ５１が作動して巻取りローラ５２が矢印Ｄに示すように回動し、ベルト４１が巻き戻されてスライド板２０ａ、２０ｂは下限まで下降するが、まだ引出し棚３０は、戸棚ケース１０に収納されている。
図４（ｃ）に示すように、スライド板２０ａ、２０ｂが下限まで下降し駆動モータ５１が引き続き作動し、第４のガイドローラ５６に掛けたれたベルト４１が緩められると、引出し棚３０は、スライダ３１に沿って前方斜め下方にスライド移動する。【００１４】  以上述べたように、本発明の第１の実施の形態の昇降引出し式戸棚は、戸棚ケース１０に収納されたスライド板２０ａ、２０ｂが下降したとき、スライド板２０ａ、２０ｂの内側に設けられた引出し棚３０が引出され、車椅子に載った身体障害者や背の低い子供などでも簡潔構造で戸棚の中のものの取出しや収納を容易とすることができ、また、引出し棚３０の昇降にスライド板２０ａ、２０ｂを用いているため、後面側Ｒと前面側Ｆの奥行き方向のスペースを有効に使用することができ、さらに、昇降に使用するスライダ２１をスライド板２０ａ、２０ｂの前面側Ｆと後面側Ｒに取り付けられているため、側面側Ｓの横方向のスペースを有効に使用することができ、収納スペースを最大限に確保することができる。
【実施例２】
【００１５】  図５は、本発明の第２の実施の形態の昇降引出し式戸棚に設けられる駆動機構の斜視図を示す。
図５に示すように、駆動機構６０は、戸棚ケース１０の内側上部の中央に駆動モータ６１が取付けられ、駆動モータ６１は、ＤＣモータ６１ａと、ＤＣモータ６１ａの回転数を減速しトルクを増大する減速器６１ｂとにより構成され、減速器６１ｂに巻取りローラ６８が取り付けられている。また、巻取りローラ６８の左右、即ち戸棚ケース１０の内側の両方の側面側Ｓに第１のカイドローラ６２が取付けられ、第２のガイドローラ６３がスライド板２０ａの内側上部中央に取り付けられ、第３のガイドローラ６４がスライド板２０ａ（図１参照）の内側上部の後面側Ｒに取り付けられ、第４のガイドローラ６５がスライド板２０ａの内側下部の後面側Ｒに取り付けられ、第５のガイドローラ５６が引出し棚３０（図１参照）の外面の中央より前面側Ｆに取り付けられている。
ベルト４２は、巻取りローラ６８の中心を通り形成されたスリット６８ａに挟まれ、一方の側のベルト４２ａが第１のガイドローラ６２に掛けられた後に直角方向にねじられ、第２、第３、第４、第５のガイドローラ６３、６４、６５、６６とに掛けられ、第５のガイドローラ６６で折返されて端部が引出し棚３０の側面でピン６７に固定されている。他方の側のベルト４２ｂも同様に、スライド板２０ｂの側でガイドローラに掛けられている。
駆動モータ６１は、上昇スイッチ６９ａと下降スイッチ６９ｂとを有し壁面などに設けられる操作スイッチ６９に接続し、上昇スイッチ６９ａが操作されると正転作動し、巻取りローラ６８がベルト４２を巻き付け、下降スイッチ６９ｂが操作されると逆転作動し、巻取りローラ６８を逆転回動させ巻取りローラ６８に巻かれているベルト４１は巻きが解かれる。
操作スイッチ６９が操作され、駆動モータ６１が駆動して巻取りローラ６８が回動すると、ベルト４２の巻取り巻戻が行われ、本発明の第１の実施の形態の昇降引出し式戸棚と同様に、スライド板２０ａ、２０ｂを昇降するとともに、スライド板２０ａ、２０ｂが下降したとき、ベルト４２の巻戻しにより引出し棚３０を前方斜め下方にスライド移動することができる。【００１６】  以上述べたように、本発明の第２の実施の形態の昇降引出し式戸棚は、より簡潔構造の駆動機構６０で戸棚の中のものの取出しや収納を容易とすることができ、また、奥行き方向と横方向のスペースを有効に使用することができ、収納スペースを最大限に確保することができる。
【実施例３】
【００１７】  図６は、本発明の第３の実施の形態の昇降引出し式戸棚に設けられる駆動機構の斜視図を示す。
図６に示すように、駆動機構７０は、第１の駆動機構７０Ａと、第２の駆動機構７０Ｂとで構成され、第１の駆動機構７０Ａは、戸棚ケース１０の内側上部の中央に駆動モータ７１Ａが取付けられ、駆動モータ７１Ａは、ＤＣモータ７１Ａａと、ＤＣモータ７１Ａａの回転数を減速しトルクを増大する減速器７１Ａｂとにより構成され、減速器７１Ａｂに巻取りローラ７２が取り付けられている。また、巻取りローラ７２の左右、即ち戸棚ケース１０の内側の両方の側面側Ｓに第１のカイドローラ７３が取付けられている。
ベルト４３は、巻取りローラ７２の中心を通り形成されたスリット７２ａに挟まれ、一方の側のベルト４３ａが第１のガイドローラ７３に掛けられた後に端部がスライド板２１ａ（図１参照）の内側でピン７４に固定されている。他方の側のベルト４３ｂも同様に、スライド板２０ｂの側でガイドローラに掛けられている。
第２の駆動機構７０Ｂは、スライド板２０ａの上部内側の後面側Ｒに駆動モータ７１Ｂが取付けられ、駆動モータ７１Ｂは、ＤＣモータ７１Ｂａと、ＤＣモータ７１Ｂａの回転数を減速しトルクを増大する減速器７１Ｂｂとにより構成され、減速器７１Ｂｂに巻取りローラ７５が取り付けられている。また、第２のガイドローラ７６がスライド板２０ａの内側下部の後面側Ｒに取り付けられ、第３のガイドローラ７７が引出し棚３０（図１参照）の外面の中央より前面側Ｆに取り付けられている。
ベルト４４は、一端が巻取りローラ７５に固定され、第２、第３のガイドローラ７６、７７に掛けられ、第３のガイドローラ７７で折返されて他方の端部が引出し棚３０の側面でピン７８に固定されている。また、第２の駆動機構７０Ｂは、スライド板２０ｂの上部にも取付けられ、ベルトも同様に、スライド板２０ｂの側でガイドローラに掛けられている。
駆動機構７０は、第１、第２の駆動機構７０Ａ、７０Ｂが上昇スイッチ７９ａと下降スイッチ７９ｂとを有し壁面などに設けられる操作スイッチ７９に接続し、上昇スイッチ７９ａが操作されると、第２の駆動機構７０Ｂの駆動モータ７１Ｂが作動し、ベルト４４を巻き上げ引出し棚３０をスライド板２０ａ、２０ｂに収納し、続いて第１の駆動機構７０Ａの駆動モータ７１Ａが作動し、ベルト４３を巻き上げスライド板２０ａ、２０ｂを上昇させる。
下降スイッチ６９ｂが操作されると、第１の駆動機構７０Ａの駆動モータ７１Ａが作動し、ベルト４３を巻き戻し２０ａ、２０ｂを下降させ、スライド板２０ａ、２０ｂが下限まで下降すると、第２の駆動機構７０Ｂの駆動モータ７１Ｂが作動し、ベルト４４を巻き戻し、ベルト４４の巻戻しにより引出し棚３０を前方斜め下方にスライド移動することができる。【００１８】  以上述べたように、本発明の第３の実施の形態の昇降引出し式戸棚は、より簡潔構造の駆動機構７０で戸棚の中のものの取出しや収納を容易とすることができ、また、奥行き方向と横方向のスペースを有効に使用することができ、収納スペースを最大限に確保することができる。【００１９】  なお、本発明の実施の形態の昇降引出し式戸棚では、スライド板２０ａ、２０ｂを使用しているため、カイドローラピンを打ち込みカイドローラを直接スライド板２０ａ、２０ｂに取付けることができる。
また、本発明の第１の実施の形態の昇降引出し式戸棚では、ベルト４１は、第４のガイドローラ５６に掛けられ、第４のガイドローラ５６で折返されて端部が引出し棚３０の側面でピン５７に固定され、本発明の第２の実施の形態の昇降引出し式戸棚では、ベルト４２は、第５のガイドローラ６６に掛けられ、第５のガイドローラ６６で折返されて端部が引出し棚３０の側面でピン６７に固定され、本発明の第３の実施の形態の昇降引出し式戸棚では、ベルト４４は、第３のガイドローラ７７に掛けられ、第３のガイドローラ７７で折返されて端部が引出し棚３０の側面でピン６７に固定されているが、ベルト４１、４２、４４の端部を直接スライタ３０のスライドレール３１ｂに係止することもできる。
また、本発明の第１、２、３の実施の形態の昇降引出し式戸棚は、流し台の上方に設けられる例につき説明したが、これに限定することなく、他の棚類についての同様のことを行うことができる。
さらに、本発明の実施の形態の昇降引出し式戸棚は、駆動機構５０、６０、７０にベルトを使用することとしたが、ワイヤなどを使用することもできる。
【図面の簡単な説明】
【００２０】
【図１】  本発明の第１の実施の形態の昇降引出し式戸棚の斜視図を示し、図１（ａ）は、本発明の第１の実施の形態の昇降引出し式戸棚が壁面に取付けられたときの斜視図を示し、図１（ｂ）は、本発明の第１の実施の形態の昇降引出し式戸棚のスライド板が下降したときの斜視図を示し、図１（ｃ）は、本発明の第１の実施の形態の昇降引出し式戸棚の引出し棚が外側に引出されたときの斜視図を示す。
【図２】  本発明の第１の実施の形態の昇降引出し式戸棚に取り付けられるスライダの断面図を示し、図２（ａ）は、戸棚ケースの内側とスライド板の側面との間に取り付けられるスライダを示し、図２（ｂ）は、スライド板の内側と引出し棚の外側との間に取り付けられたスライダを示す。
【図３】  本発明の第１の実施の形態の昇降引出し式戸棚に設けられる駆動機構の斜視図を示す。
【図４】  本発明の第１の実施の形態の昇降引出し式戸棚の駆動機構の動作図を示し、図４（ａ）は、スライド板が上昇し戸棚ケースに引出し棚が収納されたときを示し、図４（ｂ）は、スライド板が下降したときを示し、図４（ｃ）は、引出し棚が外側に引出されたときを示す。
【図５】  本発明の第２の実施の形態の昇降引出し式戸棚に設けられる駆動機構の斜視図を示す。
【図６】  本発明の第３の実施の形態の昇降引出し式戸棚に設けられる駆動機構の斜視図を示す。
【符号の説明】
【００２１】  １０  戸棚ケース
２０ａ、２０ｂ  スライド板
２１、３１  スライダ
３０  引出し棚
４１、４２、４３  ベルト
５０、６０  駆動機構
５１、６１  駆動モータ
５２、６８、７５  巻取りローラ
５３、５４、５５、５６、６２、６３、６４、６５、６６、７３、７６、７７  ガイドローラ
５７、６７、７８  ピン
５８  回転軸
５９、６９  操作スイッチ
【図１】
2005261885.tif 000003
【図２】
2005261885.tif 000004
【図３】
2005261885.tif 000005
【図４】
2005261885.tif 000006
【図５】
2005261885.tif 000007
【図６】
2005261885.tif 000008